(57)【特許請求の範囲】
【請求項１】
大小２本の略筒状体が側壁面同士で接合した形状であって、小径部の最大径が２．５ｍｍ以下であるまつげパーマ用ロッド。
【請求項２】
前記小径部の径が１．５〜２．５ｍｍである請求項１に記載のロッド。
【請求項３】
前記ロッドが、熱水で軟化しうる熱可塑性ポリマーからなる請求項１または２に記載のロッド。
【請求項４】
前記熱可塑性ポリマーが熱可塑性エラストマーである請求項３に記載のロッド。
【請求項５】
前記熱可塑性エラストマーがポリオレフィン系エラストマーである請求項４に記載のロッド。
【請求項６】
前記熱可塑性エラストマーがポリエステル系エラストマーである請求項４に記載のロッド。
【請求項７】
請求項１ないし６のいずれかに記載のロッドを用いるまつげパーマ施術方法。
【発明の詳細な説明】
【０００１】
【発明の属する技術分野】
本発明は、まつげパーマ用ロッドおよびこれを用いるまつげパーマ施術方法に関する。
【０００２】
【従来の技術】
最近、アートメイクなどの美容ブームもあって、まつげパーマ（パーマネントウエーブ）のニーズが急増しており、美容院などにおいても日常的な要望となりつつある。これ以前にまつげパーマが全く行なわれていなかった訳ではないが、その頻度は稀であったため、頭髪パーマほど技術は確立されているとはいえない。まつげは眼球の真上にあり、目のまわりの皮膚は最も弱いとされることもあり、特に手際よくパーマをかける必要があるが、湾曲した瞼に沿って生えた短いまつげは頭髪に比べ格段に扱いにくく、所望するような形状にかからないことも少なくない。
【０００３】
従来、まつげパーマ用ロッドとしては、細径の棒材の外周に粘着層を設けた構造のものが提案されており（実開昭５９−８７７０１号）、現在、美容業界で使用されている製品も、概ねこれに近いものである。しかし細径の棒材は、湾曲した瞼に沿わせることが難しいだけでなく、頭髪に比して使用するロッド数も１本または２〜３本と少なく、ロッドのサイズも限られている。このため必要以上にパーマが巻毛になってしまうなど、これを用いて所望どおりの仕上がりとするには特別に熟練した技術が必要とされる。
【０００４】
また特開平６−１０５７０９号では、両面に粘着層を有する板状シリコーンゴムからなる平面ロッドを、まつげに貼着し、巻回して形状を付与することが提案されている。この技法では、巻回された平面ロッドを瞼に貼着すればまつげが引張られてパーマネント効果を向上させることができる旨記載されている。しかし最近の特にアートメイクでは、強くカールした形状に限られず、大きく張り出した形状など、顧客の要求はまちまちであって、これに追従して平板ロッドの巻回により自在な形状を付与することは困難である。
【０００５】
【発明が解決しようとする課題】
本発明は、上記のような課題に鑑みてなされ、パーマのかけにくいまつげに、所望のパーマを自在かつ容易に失敗なくかけることができるまつげパーマ用ロッドおよびこれを用いたまつげにパーマをかける（まつげパーマ施術）方法を提供することを目的としている。
【０００６】
【課題を解決するための手段】
本発明者は、まつげパーマのニーズが高まる中で、ロッドについて種々検討するうちに、ロッド材としてそれ自体が熱水などで軟化変形しうるような軟化点の低い熱可塑性ポリマーを用い、パーマをかける人各に応じた所望形状のロッドを作製すれば、上記課題を解決しうることに想到した。つまりこのような熱可塑性ポリマーを用いれば、造形されたロッドが各人のまつげに合わなくても、変形容易であるため煩雑な手間がかかることなく調整作業を繰り返してアジャストさせることができる。したがって各人固有のまつげの形状にあったロッドで、かつ所望の巻き具合でパーマをかけることができ、しかもロッドの造形工程を含め、格別熟練した技術を有する者でなくても失敗なく行なうことができることを確信して本発明を完成するに至った。
【０００７】
なおポリマーが加熱軟化して変形すること自体は熱可塑性ポリマー本来の特性として知られているが、これをまつげパーマ用ロッド材料として使用することは知られていない。また従来、まつげロッド自体を軟化させて変形させ、その都度造形するという発想はない。本発明は新規なまつげパーマ用ロッドである。またパーマの都度、熱可塑性ポリマーからまつげ用ロッドを作製して用いれば、むつかしいまつげパーマの施術を予想以上に容易にし、失敗なくかけられるという効果が得られることは勿論知られていない。
【０００８】
すなわち本発明は、熱水で軟化しうる熱可塑性ポリマーからなるまつげパーマ用ロッドを提供する。
上記熱可塑性ポリマーは、具体的には熱可塑性エラストマーが挙げられ、より具体的にはポリオレフィン系エラストマー、ポリエステル系エラストマーなどが好ましい。
【０００９】
本発明に係るまつげパーマ用ロッドは、上記熱可塑性ポリマーを変形温度まで加熱し、変形して造形することにより付与されたパーマをかける人のまつげにあわせた所望形状を有する。
【００１０】
また本発明では、上記のようなまつげパーマ用ロッドを用いてまつげパーマを施術する。すなわち上記のような熱可塑性ポリマーを加熱変形し、パーマをかける人のまつげにあわせて所望形状に造形することにより作製したロッドを用いるまつげパーマ施術方法も提供する。
【００１１】
さらに本発明では、本発明者が上記ロッドが成形容易な材料からなる点を利用してロッド形状について検討するうちに創作した略瓢箪状の断面形状を有するロッドも提供する。具体的には、大小２本の略筒状体が側壁面同士で接合した形状であって、小径部の最大径が２．５ｍｍ以下のまつげパーマ用ロッドである。
このロッドを用いれば、パーマ施術後にビューラを施さなくても、大きなカールが根元から直ちに立上がった理想的な仕上がりが得られる、このような形状のまつげパーマ用ロッドは知られておらず、またビューラーを用いずに上記仕上げの得られるロッドも知られていない。パーマだけで大きなカールを根元から立ち上げることは、この特定形状のロッドにより始めて達成できたといえる。
本発明のロッドが上記好ましい形状の場合には、その材料は特に限定されないが、上記した熱可塑性ポリマー、特に熱可塑性エラストマーからなることが好ましい。
【００１２】
【発明の実施の形態】
以下本発明をより具体的に説明する。
本発明に係るまつげパーマ用ロッドは、熱水で軟化しうる熱可塑性ポリマーからなる。本発明では、パーマ液と反応せず、熱水で軟化しうる程度の低軟化点のものであれば、一般的な熱可塑性ポリマーを広く使用することができる。また常温（室温ないし体温）でその構造形状を保持することができれば軟化温度は特に限定されないが、作業上は可能な限り低温の熱水で軟化しうることが望ましい。一般的には６０℃程度ないし８０程度で軟化するものは容易に入手することができる。
【００１３】
本発明では、まつげの巻付け作業上、常温では弾性を有する熱可塑性ポリマーが好ましく、したがって熱可塑性エラストマー（ＴＰＥ）が好ましく用いられる。熱可塑性エラストマーは、具体的にポリオレフィン系エラストマー（ＴＰＯ）、ポリスチレン系エラストマー（ＳＢＣ）、ポリエステル系エラストマー（ＴＰＥＥ）、ポリウレタン系エラストマー（ＴＰＵ）、ポリアミド系エラストマー（ＴＰＡＥ）、ポリ塩化ビニル系エラストマー（ＴＰＶＣ）、イオノマなどの一般的に公知のものを広く例示することができる。
【００１４】
また低分子量のポリエチレンホモポリマーなどのようにグリース状で、常温で形状構造を維持しえないものでなければ、ポリマー製造方法あるいは共重合モノマー、添加剤などにより軟化温度が低下したポリエチレン系樹脂なども使用することができ、熱可塑性エラストマーと通称されるか否かに拘らず使用することができる。なお常温ではその形状構造を維持することができればよく、分子量またはその分布を特に問題とするものでもない。
【００１５】
本発明では、軟化成形性が良好で、パーマ液と反応しなければ、特に熱可塑性ポリマーに強度、透明度などの高品質を要求しないので、上記のうちでも汎用（安価）のものを選択すればよい。たとえばポリオレフィン系エラストマー、とりわけエチレン成分を含むものが好ましく使用される。またポリエステル系エラストマーなども入手容易である。
上記ポリマーには、通常特に必要とされるものではないが、任意に香料、着色材を添加してもかまわない。
【００１６】
本発明に係るまつげパーマ施術方法では、上記のような熱可塑性ポリマーを加熱変形し、パーマをかける人のまつげにあわせて所望形状に造形することにより作製したロッドを用いてパーマをかける。したがって本発明のまつげパーマ用ロッドは、パーマをかける人のまつげにあわせた所望形状を有する。この形状は、上記熱可塑性ポリマーを変形温度まで加熱し、変形して造形することにより容易に付与することができる。
以下本発明を図を参照しながらより具体的に説明する。なお図は本発明を説明するためのものであって、本発明はこれら図に限定されるものではない。
まつげにパーマをかけるに際し、まず図１に示すように熱可塑性ポリマーを加熱し、まつげパーマ用ロッドを造形する。
【００１７】
熱可塑性ポリマーは、軟化しうる温度に達することができればよく、加熱手段は熱水に限定されるものではない。たとえばドライヤなどの美容院に通常に設置されている加熱器具を用いればよい。
上記ポリマーを熱水で軟化させるには、ポリマーを熱水中に入れてもよく、水に入れてから電子レンジなどで加熱することもできる。また加熱するポリマーの大きさ、加熱温度にもよるが、熱水で軟化しうるような軟化温度の低いポリマーは、通常数分以下で変形自在に軟化する。
【００１８】
熱可塑性ポリマーは、熱水から取り出せば素手でも触ることができ、再び固化するまで指あるいは手の平などで自在に形状を付すことができる。まつげ用ロッドに造形前の熱可塑性ポリマーの形状は特に限定されず、製造工程から出荷されるペレット状、板状体あるいは棒状体などの製品形状のままでもよいが、予め概略まつげ用ロッドに近い大きさの径の円柱状棒体に予備成形しておくのが好ましい。使用時には円柱状棒体を適当な長さにカットし、所望形状ロッドに容易に調整することができる。
【００１９】
通常は、図１に示すように略円柱棒状ロッド１とし、この直径の大きさを変えればパーマのカール度合いを調節することができる。また瞼にあった湾曲を付したり、端部に丸みをつけたり、端部を細くしたりすることもできる。付与した形状はそのまま冷却すれば、その形状を保持する。図２に示すように形状付与されたロッド１をまつげ２に沿わせ、必要ならば再び軟化させ形状調節して、各人にアジャストさせることができる。
【００２０】
次いで作製されたロッドを用いてパーマをかけるには、通常ロッドとまつげとを糊料で固定する。糊料は、パーマ施術中はまつげをロッドに固定でき、パーマ終了後にはロッドを取り外せる程度の貼着力のものであればよく、ゴムラテックス系接着剤を使用することができる。たとえば市販のアイプチ（商品名）を使用すれば容易に作業することができる。
【００２１】
上記でまつげをロットに固定した以降の工程は、一般的なパーマ施術方法に準じて行なうことができるが、図２〜４を参照しながら、本発明のパーマ施術方法について、好ましい態様例に基づき、より詳細に説明する。
１）まつげはパーマをかける前に、まずクレンジングジェル等で汚れを落すことが望ましい。
２）テープ３で瞼を引張ると、まつげ２をロッド１に固定させやすくなる。
３）ロッド１に糊料をつけてまつげ２の根元に固定する。
４）ロッド１に、部分的に糊料をつけ、該当個所のまつげ２を順次針金４等で巻き付け、固定する。
５）所定のパーマ液をつける。
６）所定時間経過後、綿棒などでパーマ液を除去する。
７）濡らした綿棒でロッドを外し、まつげおよびまぶたの汚れを取る。
８）テープ３を剥がし、クリーム等をつける。
【００２２】
本発明において、特に好ましいロッドの態様例を図５に示す。ロッド１は、大小２本の略筒状体が側壁面同士で接合した形状であって、その断面は略瓢箪あるいはダルマ形状（以下瓢箪型ロッドと称する）である。この瓢箪型ロッドの小径部１ａは、まつげ長さ、所望するカールの大きさなどにより異なるが、最大径は約２．５ｍｍ以下であることが望ましい。小径部１ａは、通常１．５〜２．５ｍｍ程度の径を有する。大径部１ｂの最大径は、まつげ長さ、所望するカールの大きさなどにより異なり、接合相手の小径部１ａよりは大きいが２．５ｍｍ以下の場合もある。
本発明では、先にも述べたようにビューラーを用いなくても、大きなカールが根元から直ちに立上がった理想的な仕上がりが得られるロッドとして、上記のような瓢箪型ロッドを提供する。
【００２３】
このような瓢箪型ロッドは、たとえば上記したように熱可塑性ポリマーを加熱して、大小２本の略筒状体１ａおよび１ｂを作製し、両者を接合することにより作製することができる。熱可塑性ポリマー特に熱可塑性エラストマー材料であれば、余熱で両者を接合することができ、手作業でも容易に作製することができる。また瓢箪型ロッドは、上記断面形状を有していればよく、厳密に円滑な真円同士の接合である必要はない。たとえば略円筒状棒体同士を手作業で接合するために、あるいは接合後板上での放置により変形した扁平部分も含む形状であってもよいが、小径部１ａと大径部１ｂとの接合部に相当する部分の少なくとも一部に減径部を有する形状（完全鶏卵状ではない）が好ましい。
【００２４】
瓢箪型ロッドを用いるパーマの施術は、図６に示すようにまつげの根元に小径部１ａを載置し、まつげ先方を大径部１ｂに巻回する以外は、上記で説明したと同様に行う。
上記瓢箪型ロッドを使用すれば、図７（ａ）に示すように、大きなカールを根元から立ち上げることが可能になった。
従来、まつげに大きいカールを付す場合には、大径のロッドで巻いてパーマをかける。このカールは、通常、図７（ｂ）に示すように根元部分で垂下する。このため一般的に瞳を隠さず、ぱっちりした目元を作るためには、パーマ施術後にビューラーでまつげを持ち上げる必要があった。
ビューラーなしで根元から大きなカールを立ち上げることは、上記瓢箪型ロッドで始めて実現したといえる。
【００２５】
特に上記で特定される大きさの小径部１ａを有する瓢箪型ロッドであれば、まつげをかける人に拘らず、大きなカールの立ち上げが可能となる。このため、大径部と小径部との少なくとも一方を着色するなど、互いに異なる配色としておけば、瞬時に両者を見分けることができ、作業能率がよい。
【００２６】
【発明の効果】
上記のような本発明によれば、お湯などに浸すだけで容易に変形して所望形状を付与できる材料を用い、パーマをかける人毎にアジャストしたロッドを作製できるので、難しいとされるまつげパーマを容易に、かつ失敗なく所望形状にかけることができる。
【図面の簡単な説明】
【図１】  本発明に係る熱可塑性ポリマーからなるロッドの作製プロセスを説明する図である。
【図２】  本発明のまつげパーマ用ロッドをまつげに装着する工程を説明する図である。
【図３】  本発明において、装着したロッドにまつげを巻回する工程を説明する図である。
【図４】  本発明において、ロッドに巻回したまつげにパーマを施術する工程を説明する図である。
【図５】  本発明の好ましいロッドの形状例および該ロッドの作製プロセス例を説明する図である。
【図６】  本発明の好ましい形状のロッドにまつげを巻回する工程を説明する図である。
【図７】（ａ）〜（ｂ）は、パーマ施術後のまつげを説明する図である。
【図１】
0004111771.tif 000002
【図２】
0004111771.tif 000003
【図３】
0004111771.tif 000004
【図４】
0004111771.tif 000005
【図５】
0004111771.tif 000006
【図６】
0004111771.tif 000007
【図７】
0004111771.tif 000008